(57)【要約】【課題】記録動作を一次停止できない記録方式と、記録動作を一次停止できる記録方式とを使用可能とし、それぞれの画像データ転送をバス効率良く行うデータ転送装置を提供すること。【解決手段】画像データの転送先の記録方式に基づいて画像データの転送モードを選択する手段と、選択した転送モードにおいて転送する画像データに対するライン周期信号を生成する手段と、ライン周期信号をトリガとして所定のライン分の画像データを転送する手段と、所定の数ライン分のライン周期信号時間内にライン分の画像データの転送が完了したか否かを検出する手段と、ライン同期転送モードを選択した場合は、画像データ転送検出手段による画像データの転送の完了の検出とは無関係にライン周期信号を一定周期で発生し、ライン非同期転送モードを選択した場合は画像データ転送検出手段によって画像データの転送の完了を検出した後にライン周期信号を発生する手段と、を備える。【選択図】        図１
2007282176.tif 000002
【特許請求の範囲】
【請求項１】
画像データの転送先の記録方式に基づいて画像データのライン同期転送モードまたはライン非同期転送モードのいずれか一方を選択する転送モード選択手段と、
前記選択した転送モードにおいて転送する画像データに対するライン周期信号を生成するライン周期信号生成手段と、
前記ライン周期信号をトリガとして所定のライン分の画像データを転送する画像データ転送手段と、
前記画像データ転送手段において、所定の数ライン分のライン周期信号時間内に前記ライン分の画像データの転送が完了したか否かを検出する画像データ転送検出手段と、
前記転送モード選択手段において前記ライン非同期転送モードを選択した場合は、前記画像データ転送検出手段によって前記画像データの転送の完了を検出した後に前記ライン周期信号生成手段によってライン周期信号を発生する転送制御手段と、
を備えることを特徴とするデータ転送装置。
【請求項２】
前記転送モード選択手段において前記ライン同期転送を選択した場合に、前記画像データ転送検出手段において、前記画像データの転送の完了を検出する前に次のライン周期信号生成手段によってライン周期信号を発生した場合には転送エラーとして処理することを特徴とする請求項１に記載のデータ転送装置。
【請求項３】
自装置をインクによる記録に適用する場合には、前記転送モード選択手段においてライン非同期転送を選択し、自装置をインクによる記録以外の記録に適用する場合には、前記転送モード選択手段においてライン同期転送を選択することを特徴とする請求項１または２に記載のデータ転送装置。
【請求項４】
請求項１〜３のいずれか１つに記載のデータ転送装置を備えることを特徴とする画像形成装置。
【発明の詳細な説明】
【技術分野】
【０００１】
本発明は、データ転送装置およびこれを備えた画像形成装置に関するものであり、特に、適宜異なる記録方式を選択して画像データ転送をバス効率良く行うことが可能なデータ転送装置およびこれを備えた画像形成装置に関するものである。
【背景技術】
【０００２】
従来、プリンタ等の記録装置に使用される記録方式としては、以下に示すような２種の記録方式が既に知られている。
（１）記録動作を一次停止することができない記録方式（以下、記録方式Ａと称する）。
（２）記録動作を一次停止することができる記録方式（以下、記録方式Ｂと称する）。
【０００３】
ここで、記録方式Ａは、具体的には図４に示すような構成によって行なわれる記録方式であり、一般的にはレーザーで画像を形成するレーザプリンタなどがある。一方で記録方式Ｂは、図５に示すような構成により行なわれる記録方式であり、一般的には記録ヘッドを主走査方向に移動させて記録するインクジェットプリンタなどがある。
【０００４】
図４は、記録方式Ａを説明するための図であり、記録方式Ａを実行するプリンタ装置の構成図である。記録方式Ａを含むプリンタは、たとえば図４に示すように、コンピュータ１０１、プリンタの操作パネル１０３、コントローラ１０９、ＰＣＩバス１１０、エンジン制御部１１５、レーザー駆動用ＶＩＤＥＯバス１１７、レーザー記録部１１８を備える。また、コントローラ１０９は、コンピュータとのＩ／Ｆ（ＬＡＮやＵＳＢなど）１０２、操作パネルのＩ／Ｆ１０４、コントローラ＃９の制御を行うＣＰＵ１０５、記録データやＣＰＵ１０５のワーク用のメモリ１０６、コントローラ内アドレス／データバス１０７、エンジン制御部１１５とのＩ／ＦであるＰＣＩＩ／Ｆ１０８を有し、エンジン制御部１１５は、コントローラ１０９とのＩ／ＦであるＰＣＩ  Ｉ／Ｆ１１１、ＶＩＤＥＯバス（ＰＣＩ  Ｉ／ＦをＶＩＤＥＯバスに変換）１１２、エンジン内アドレス／データバス１１３、エンジン制御部１１５の制御を行うＣＰＵ１１４、レーザー記録用記録制御部１１６、ライン同期信号（記録のための水平同期信号：１ラインを示す）１１９を有する構成とされる。
【０００５】
また、図５は、記録方式Ｂを説明するための図であり、記録方式Ｂを実行するプリンタ装置の構成図である。記録方式Ｂを含むプリンタは、たとえば図５に示すように、コンピュータ１０１、プリンタの操作パネル１０３、コントローラ１０９、ＰＣＩバス１１０、エンジン制御部１１５ａ、インクジェット駆動用ＶＩＤＥＯバス１２１、インクジェット記録部１２２を備える。また、エンジン制御部１１５ａは、コントローラ１０９とのＩ／ＦであるＰＣＩ  Ｉ／Ｆ１１１、ＶＩＤＥＯバス（ＰＣＩ  Ｉ／ＦをＶＩＤＥＯバスに変換）１１２、エンジン制御部内アドレス／データバス１１３、インクジェット記録用記録制御部（インクジェット用レンダリングを含む）１２０、エンジン制御部１１５ａの制御を行うＣＰＵ１２３、インクジェット記録用スキャンデータ一次保管メモリ１２４を有する構成とされる。
【０００６】
また、従来のプリンタとしては、たとえば、イメージデータ記憶メモリと、１ラインデータの転送期間を規定する水平同期信号を発生する水平同期信号発生手段を有する印字部と、データ転送のための基準クロックを発生する基準クロック発生手段と、水平同期信号の発生開始に応答してイメージデータ転送開始のタイミングを基準クロックに基づいて計数する第１のカウンタと、該第１のカウンタの計数終了に応答して、基準クロックを計数する第２のカウンタと、記水平同期信号の有効期間で前記第２のカウンタの計数期間以外の間は空白データを、且つ前記第２のカウンタの計数期間は前記イメージデータ記憶メモリから読出されたイメージデータを、前記印字部に対して選択出力する選択手段と、を有する印字装置が提案されている（たとえば、特許文献１参照）。
【０００７】
【特許文献１】特開平０５−１５０９１６号公報
【発明の開示】
【発明が解決しようとする課題】
【０００８】
しかしながら、上述した特許文献１の技術によれば、以下のような問題があった。
（１）記録方式Ａに最適となっているため、記録方式Ｂでは効率が悪い。記録方式Ｂにおいては水平同期信号（ＨＳＹＮＣ）出力期間中に１ラインを構成するイメージデータを転送する場合、水平同期信号（ＨＳＹＮＣ）の周期はエラーとならない最小幅を確保する必要がある。具体的には、ビデオバス上流にある転送バス（たとえばメモリからビデオ変換部への転送）の最低処理能力と記録線速を加味して決定する必要がある。
（２）記録方式Ｂでは水平同期信号（ＨＳＹＮＣ）を用いない別の転送方式となる。同じインターフェイスで記録方式Ａと記録方式Ｂの切換ができない。
【０００９】
本発明は、上記に鑑みてなされたものであって、記録動作を一次停止することができない記録方式と、記録動作を一次停止することができる記録方式とをともに使用可能とし、それぞれの画像データ転送をバス効率良く行うデータ転送装置およびこれを備えた画像形成装置を提供することを目的とする。
【課題を解決するための手段】
【００１０】
上述した課題を解決し、目的を達成するために、本発明にかかるデータ転送装置は、画像データの転送先の記録方式に基づいて画像データのライン同期転送モードまたはライン非同期転送モードのいずれか一方を選択する転送モード選択手段と、選択した転送モードにおいて転送する画像データに対するライン周期信号を生成するライン周期信号生成手段と、ライン周期信号をトリガとして所定のライン分の画像データを転送する画像データ転送手段と、画像データ転送手段において、所定の数ライン分のライン周期信号時間内にライン分の画像データの転送が完了したか否かを検出する画像データ転送検出手段と、転送モード選択手段においてライン非同期転送モードを選択した場合は、画像データ転送検出手段によって画像データの転送の完了を検出した後にライン周期信号生成手段によってライン周期信号を発生する転送制御手段と、を備えることを特徴とする。
【発明の効果】
【００１１】
この発明によれば、ライン非同期転送かライン同期転送かを記録方式Ａ（記録動作を一次停止することができない記録方式）および記録方式Ｂ（記録動作を一次停止することができる記録方式）の記録方式の種類に基づいて選択し、ライン同期転送を選択した場合は、記録画像データ転送検出手段による「記録画像データの転送完了検出とは無関係に」、ライン周期信号を一定周期で発生し、ライン非同期転送を選択した場合は、前記記録画像データ転送検出手段によって「記録画像データの転送が完了したと判定した後に」、ライン周期信号を発生するように制御する。
【００１２】
これにより、この発明によれば、ライン非同期転送の場合には、ビデオバス上流にある画像データ転送バスの最低処理能力や記録線速に合わせて周期を決定するのではなく、バス負荷が低いときには速く、瞬間的にバス負荷が高いときには遅く転送することができ、画像データの転送エラーを防止すると共に、バスが待機状態となっている期間がない。これにより、この発明によれば、最もバス効率の良い方法（バスが待機状態となっている時間が短い方法）で画像データを転送することができる、という効果を奏する。また、記録動作を一次停止することができない記録方式と、記録動作を一次停止することができる記録方式とを共通のＩ／Ｆ信号を使って切り換えることが可能である、という効果を奏する。
【００１３】
その結果、この発明によれば、「記録動作を一次停止することができない記録方式」と「記録動作を一次停止することができる記録方式」とを共通のハードウェアで実現すると共に、画像データの転送エラーを起こさず、バス効率を最大に使用した転送が可能となる、という効果を奏する。
【発明を実施するための最良の形態】
【００１４】
以下に、本発明にかかるデータ転送装置およびこれを備えた画像形成装置の実施の形態を図面に基づいて詳細に説明する。なお、本発明は以下の記述に限定されるものではなく、本発明の要旨を逸脱しない範囲において適宜変更可能である。
【００１５】
実施の形態
図１は、本発明の実施の形態１にかかるプリンタの概略構成を示す図である。図１に示したように、本実施の形態にかかるプリンタは、コンピュータ装置３１、コンピュータとのＩ／Ｆ（ＬＡＮやＵＳＢなど）３２、プリンタの操作パネル３３、操作パネルのＩ／Ｆ３４、コントローラ４０の制御を行うＣＰＵ３５、記録データやＣＰＵ３５のワーク用のメモリ３６、コントローラ４０用プログラムメモリ３７、コントローラ内アドレス／データバス３８、エンジン５２とのＩ／ＦであるＰＣＩ  Ｉ／Ｆ（記録画像データ転送手段）３９、コントローラ４０、ＰＣＩバス４１、ＰＣＩバスに接続するオプション（１）４２、ＰＣＩバスに接続するオプション（２）４３、ＰＣＩバスに接続するオプション（３）４４、ＰＣＩ  Ｉ／Ｆ（記録画像データ転送手段）を含む記録制御部（ライン周期信号生成手段、転送モード選択手段、記録画像データ転送検出手段を含む）４５、記録方式Ａまたは記録方式ＢのＶＩＤＥＯバス４６、記録方式Ａまたは記録方式Ｂの記録部４７、エンジン制御部内アドレス／データバス４８、記録方式Ｂ用画像データ一次保管メモリ４９、エンジン制御部５２用プログラムメモリ（記憶媒体として外部Ｉ／Ｆとしても良い）５０、エンジン制御部５２の制御を行うＣＰＵ（転送制御手段を含む）５１、エンジン制御部５２を備えて構成される。
【００１６】
なお、本実施の形態にかかるデータ転送装置は、コントローラ４０、ＰＣＩバス４１およびエンジン制御部５２により構成される。
【００１７】
以上のように構成された本実施の形態にかかるプリンタ装置は、記録動作を一次停止することができない記録方式（記録方式Ａ）と、記録動作を一次停止することができる記録方式（記録方式Ｂ）とを実行可能なプリンタである。
【００１８】
図２は、本実施の形態にかかるプリンタ装置におけるデータの転送処理のフローを説明するためのフローチャートである。以下、図２を参照しながら、本実施の形態にかかるプリンタ装置におけるデータの転送処理について説明する。
【００１９】
まず、エンジン制御部５２の制御を行うＣＰＵ５１は、ＰＣＩ  Ｉ／Ｆを含む記録制御部４５における転送モード選択手段によって、記録方式（記録方式Ａまたは記録方式Ｂ）を選択することにより転送モードを選択する（ステップＳ１０１）。転送モード選択手段はハードウェアによる選択信号としてもよい。ここで、記録方式Ａを選択した場合は転送モードとしてライン同期転送が選択され、記録方式Ｂを選択した場合は転送モードとしてライン非同期転送が選択される。つぎに、ＣＰＵ５１は、記録のためのデータ転送を開始するか否かを選択する（ステップＳ１０２）。データ転送を開始しない場合は（ステップＳ１０２否定）、ステップＳ１０１に戻る。
【００２０】
また、データ転送を開始する場合は（ステップＳ１０２肯定）、ステップＳ１０１において選択された記録方式が記録方式Ａであるか否かを判断する（ステップＳ１０３）。選択された記録方式が記録方式Ａである場合には、（ステップＳ１０３肯定）、記録方式Ａでは図示しないポリゴンモータの信号を元に、ＰＣＩ  Ｉ／Ｆを含む記録制御部４５におけるライン周期信号生成手段によってライン同期信号を生成する（ステップＳ１０４）。なお、このライン同期信号は１ページの記録中はその周期が一定である。
【００２１】
そして、コントローラ４０がエンジン制御部５２へ向けて記録画像データを転送する（ステップＳ１０５）。記録画像データは、コンピュータ３１からコンピュータとのＩ／Ｆ（ＬＡＮやＵＳＢなど）３２を通して、記録データやワーク用のメモリ３６に一次蓄積され、ビットマップに展開された後、コントローラ内アドレス／データバス３８、エンジン制御部５２とのＩ／ＦであるＰＣＩ  Ｉ／Ｆ３９を通して、ＰＣＩバス４１経由でエンジン制御部５２のＰＣＩ  Ｉ／Ｆを含む記録制御部４５へ順次転送される。
【００２２】
つぎに、１ライン分の記録画像データの転送が終了したか否かを、ＰＣＩ  Ｉ／Ｆを含む記録制御部４５における記録画像データ転送検出手段によって検出する（ステップＳ１０６）。ここで、１ライン分の記録画像データの転送が終了していない場合には（ステップＳ１０６否定）、ステップＳ１０６を繰り返す。
【００２３】
一方、１ラインの記録画像データが転送終了した場合には（ステップＳ１０６肯定）、画像圧縮モードの種類によっては、非圧縮データに変換する為に最低限必要なブロック画像を転送する必要がある場合がある（４＊４マトリクスなどを形成するため）ため、この場合には、数ライン（Ｎライン）分まとめて転送し、Ｎライン分の記録画像データの転送が終了したか否かをＰＣＩ  Ｉ／Ｆを含む記録制御部４５における記録画像データ転送検出手段によって検出する（ステップＳ１０７）。
【００２４】
ここで、Ｎライン分の記録画像データの転送が終了していない場合には（ステップＳ１０７否定）、ステップＳ１０６に戻る。一方、Ｎライン分の記録画像データの転送が終了した場合には（ステップＳ１０７肯定）、転送中にＮライン以上の同期信号を検出したか否かを判定する（ステップＳ１０８）。
【００２５】
転送中にＮライン以上の同期信号を検出していない場合には（ステップＳ１０８否定）、一連の転送処理を終了する。また、転送中にＮライン以上の同期信号を検出した場合には（ステップＳ１０８肯定）、転送が間に合わなかったことを示す為、必要に応じてエラー処理を行う（ステップＳ１０９）。
【００２６】
そして、転送すべき記録画像データの転送が全て終了したか否かを検出する（ステップＳ１１０）。転送すべき記録画像データの転送が全て終了している場合には（ステップＳ１１０肯定）、転送処理を終了する。一方、転送すべき記録画像データの転送が終了していない場合には（ステップＳ１１０否定）、ステップＳ１０６に戻る。
【００２７】
また、ステップＳ１０３に戻って、選択された記録方式が記録方式Ｂである場合には、（ステップＳ１０３否定）、ＰＣＩ  Ｉ／Ｆを含む記録制御部４５におけるライン周期信号生成手段によってライン信号を生成する（ステップＳ１１１）。なお、このライン同期信号は１ページの記録中はその周期が一定でない。
【００２８】
そして、コントローラ４０がエンジン制御部５２へ向けて記録画像データを転送する（ステップＳ１１２）。記録画像データは、コンピュータ３１からコンピュータとのＩ／Ｆ（ＬＡＮやＵＳＢなど）３２を通して、記録データやワーク用のメモリ３６に一次蓄積され、ビットマップに展開された後、コントローラ内アドレス／データバス３８、エンジン制御部５２とのＩ／ＦであるＰＣＩ  Ｉ／Ｆ３９を通して、ＰＣＩバス４１経由でエンジン制御部５２のＰＣＩ  Ｉ／Ｆを含む記録制御部４５へ順次転送される。
【００２９】
つぎに、１ライン分の記録画像データの転送が終了したか否かを、ＰＣＩ  Ｉ／Ｆを含む記録制御部４５における記録画像データ転送検出手段によって検出する（ステップＳ１１３）。ここで、１ライン分の記録画像データの転送が終了していない場合には（ステップＳ１１３否定）、ステップＳ１１２に戻る。
【００３０】
一方、１ライン分の記録画像データの転送が終了した場合には（ステップＳ１１３肯定）、ＰＣＩＩ／Ｆを含む記録制御部４５におけるライン周期信号生成手段によってライン信号を生成する（ステップＳ１１４）。
【００３１】
そして、転送すべき記録画像データの転送が全て終了したか否かを検出する（ステップＳ１１５）。転送すべき記録画像データの転送が全て終了している場合には（ステップＳ１１５肯定）、転送処理を終了する。一方、転送すべき記録画像データの転送が終了していない場合には（ステップＳ１１５否定）、ステップＳ１１２に戻る。
【００３２】
図３−１および図３−２は本発明を説明する動作タイムチャートであり、図３−１は記録方式Ａにおける動作タイムチャートである。また、図３−２は記録方式Ｂにおける動作タイムチャートである。
【００３３】
まず、図３−１を用いて記録方式Ａについて説明する。記録方式Ａにおいて、ライン同期信号の周期６０は図３−１に示すように一定である。レーザー記録などにおいて、１ラインを示す水平同期信号である。この水平同期信号をトリガとして、コントローラ４０からエンジン制御部５２へ向けて記録画像データを１ラインずつ転送する。記録画像データは、コンピュータ３１からコンピュータ３１とのＩ／Ｆ（ＬＡＮやＵＳＢなど）３２を通して、記録データやワーク用のメモリ３６に一次蓄積され、ビットマップに展開された後、コントローラ内アドレス／データバス３８、エンジン制御装置５２とのＩ／ＦであるＰＣＩ  Ｉ／Ｆ３９を通して、ＰＣＩバス４１経由でエンジン制御部５２のＰＣＩ  Ｉ／Ｆを含む記録制御部４５へ順次転送される。
【００３４】
つぎに、図３−２を用いて記録方式Ｂについて説明する。記録方式Ｂにおいて、ライン信号の周期６１は図３−２に示すように一定ではない。インクジェット記録などにおいて、記録データをエンジン側へ転送する場合、特に同期信号と同期する必要はない。１スキャン分以上のデータを転送し、記録方式Ｂ用画像データ一次保管メモリ４９にスキャンデータを準備した後、ＰＣＩ  Ｉ／Ｆを含む記録制御部４５によって記録方式ＢのＶＩＤＥＯバス４６を経由して、記録方式Ｂの記録部４７へデータ転送される。
【００３５】
したがって、記録方式Ａと共通Ｉ／Ｆによって、ＰＣＩバス４１経由でエンジン制御部５２のＰＣＩ  Ｉ／Ｆを含む記録制御部４５へ記録画像データを順次転送する場合、図３−２に示したように、図２のステップＳ１１３〜ステップＳ１１４の動作を繰り返す。そして、バス負荷が高いときは遅く、バス負荷が低い時は速く、記録画像データを転送することで、ラインエラーになることなく、ＰＣＩバス４１の容量をフルに使用して記録画像データの転送効率を向上させることができる。
【００３６】
なお、１ラインの記録画像データの転送が終了したか否かを、ＰＣＩ  Ｉ／Ｆを含む記録制御部４５における記録画像データ転送検出手段によって検出するが、具体例としてはＰＣＩ  Ｉ／Ｆによって予め設定された１ラインの記録画像データ量について、ＰＣＩ転送しながら転送データを計数する方法がある。計数した結果、１ラインの記録画像データ量に達した場合、１ラインの記録画像データの転送が終了したとの認識をする。転送終了を認識した後に、ＰＣＩ  Ｉ／Ｆを含む記録制御部４５におけるライン周期信号生成手段へ信号レベルで伝達し、ライン信号を生成する。
【００３７】
また、転送モード選択手段においてライン同期転送を選択した場合に、記録画像データ転送検出手段において記録画像データの転送の完了を検出する前にライン周期信号生成手段によってつぎのライン周期信号を発生した場合には転送エラーとして処理する。これにより、画像エラーによるエラー処理が可能となる。
【００３８】
また、上記のように本発明をインクジェット記録方法に適用する場合には、転送モード選択手段においてライン非同期転送を選択し、インクジェット記録方法以外の記録方法に適用する場合には、転送モード選択手段においてライン同期転送を選択することができる。
【００３９】
上述したように、本実施の形態においては、記録画像データの転送モードを記録方式Ａ（記録動作を一次停止することができない記録方式）および記録方式Ｂ（記録動作を一次停止することができる記録方式）のうちいずれか一方を選択できる。そして、ライン非同期転送かライン同期転送かを記録方式Ａ（記録動作を一次停止することができない記録方式）および記録方式Ｂ（記録動作を一次停止することができる記録方式）の記録方式の種類に基づいて選択し、ライン同期転送を選択した場合は、前記記録画像データ転送検出手段による「記録画像データの転送完了検出とは無関係に」、ライン周期信号を一定周期で発生し、ライン非同期転送を選択した場合は、前記記録画像データ転送検出手段によって「記録画像データの転送が完了したと判定した後に」、ライン周期信号を発生するように制御する。
【００４０】
これにより、本実施の形態によれば、記録方式Ａ（記録動作を一次停止することができない記録方式）と、記録方式Ｂ（記録動作を一次停止することができる記録方式）と、を共通のＩ／Ｆ信号を使って切り換えることが可能である、という効果を奏する。そして、ライン非同期転送の場合には、ビデオバス上流にある画像データ転送バスの最低処理能力や記録線速に合わせて周期を決定するのではなく、バスの使用状況に応じて、バスを流れるデータ量が少ない場合には時間を空けることなく次の記録画像データの転送を行い、バスを流れるデータ量が多い場合にはその状況に合わせて適宜記録画像データの転送を行うため、バス負荷が低いときには速く、瞬間的にバス負荷が高いときには遅く転送することができ、記録画像データの転送エラーを防止すると共に、バスを遊ばせておく期間がない。これにより、本実施の形態によれば、最もバス効率の良い方法（バスが待機状態になっている時間が短い方法）で記録画像データを転送することができる、という効果を奏する。
【００４１】
したがって、本実施の形態によれば、「記録動作を一次停止することができない記録方式」と「記録動作を一次停止することができる記録方式」とを共通のハードウェアで実現すると共に、画像データの転送エラーを起こさず、バス効率を最大に使用した転送が可能となる、という効果を奏する。
【産業上の利用可能性】
【００４２】
以上のように、本発明にかかるデータ転送装置は、プリンタ装置に有用であり、特に、インクジェットプリンタとレーザプリンタとの機能を共通化したようなプリンタに適している。
【図面の簡単な説明】
【００４３】
【図１】本発明の実施の形態にかかるプリンタ装置の構成を説明するための構成図である。
【図２】本実施の形態にかかるプリンタ装置におけるデータの転送処理のフローを説明するためのフローチャートである。
【図３−１】記録方式Ａにおける動作タイムチャートである。
【図３−２】記録方式Ｂにおける動作タイムチャートである。
【図４】記録方式Ａを説明するための図であり、記録方式Ａを実行するプリンタの構成図である。
【図５】記録方式Ｂを説明するための図であり、記録方式Ｂを実行するプリンタの構成図である。
【符号の説明】
【００４４】
３１  コンピュータ装置
３２  コンピュータとのＩ／Ｆ
３３  プリンタの操作パネル
３４  操作パネルのＩ／Ｆ
３５  ＣＰＵ
３６  メモリ、
３７  プログラムメモリ、
３８  コントローラ内アドレス／データバス
３９  ＰＣＩ  Ｉ／Ｆ（記録画像データ転送手段）
４０  コントローラ
４１  ＰＣＩバス
４２  ＰＣＩバスに接続するオプション（１）
４３  ＰＣＩバスに接続するオプション（２）
４４  ＰＣＩバスに接続するオプション（３）
４５  記録制御部
４６  ＶＩＤＥＯバス
４７  記録部
４８  エンジン制御部内アドレス／データバス
４９  記録方式Ｂ用画像データ一次保管メモリ
５０  プログラムメモリ、
５１  ＣＰＵ
５２  エンジン制御部
【図１】
2007282176.tif 000003
【図２】
2007282176.tif 000004
【図３−１】
2007282176.tif 000005
【図３−２】
2007282176.tif 000006
【図４】
2007282176.tif 000007
【図５】
2007282176.tif 000008